(57)【要約】  【課題】  振動を発生する機器と振動を発生する機器が取付けられる取付対象物との間に設けられる防振ゴムが削られたり亀裂が生じることを防止するとともに、寸法の異なる機器にも使用することができる汎用性のある防振ゴムを提供する。【解決手段】円柱部と、上面と複数の側面を有する上角柱部と、下面と複数の側面を有する下角柱部と、円柱部の中心軸上を上角柱部の上面から下角柱部の下面に貫通するネジ挿通孔とを備え、上角柱部と下角柱部を、中心軸と複数の側面の距離の全てが円柱部の半径よりも長く、かつ複数の側面の各々と中心軸との最短距離が隣り合う側面同士で異なるように形成する。【選択図】図３
2017067154.tif 000002
【特許請求の範囲】
【請求項１】
円柱部と、前記円柱部の上部に形成され上面と複数の側面を有する上角柱部と、前記円柱部の下部に形成され下面と複数の側面を有する下角柱部と、前記円柱部の中心軸上を前記上角柱部の前記上面から前記下角柱部の前記下面に貫通するネジ挿通孔とを備えた防振ゴムであって、前記上角柱部と前記下角柱部は、前記中心軸と前記複数の側面の距離の全てが前記円柱部の半径よりも長く、かつ前記複数の側面の各々と前記中心軸との最短距離が隣り合う前記側面同士で異なるように形成されることを特徴とする防振ゴム。
【発明の詳細な説明】
【技術分野】
【０００１】
本発明は、振動を発生する機器と振動を発生する機器が取付けられる取付対象物との間に設けられ、振動を発生する機器から取付対象物への振動の伝達を防止する防振ゴムに関する。
【背景技術】
【０００２】
従来、空気調和機の室外機は、外気を吸込んで冷媒と熱交換させて排出するための送風機が搭載されており、この送風機は、気流を起こすプロペラファンとプロペラファンを回転させるファンモータが連結されている。このファンモータは回転に伴い振動を発生する機器である。
【０００３】
また、送風機は室外機の底板と天井パネルの間に立設される取付対象物であるモータ取付台に固定されるようになっている。
【０００４】
このように、ファンモータをモータ取付台に固定すると、ファンモータから発生する振動がモータ取付台に伝達され、振動がファンモータからその周辺へと広がるために、ファンモータとモータ取付台との間に振動を吸収する防振ゴムを介在させる方法が知られている。
【０００５】
また、図６（ａ）に示す一般的な防振ゴムとして、円柱形状の円柱部と、円柱部の上下に円柱部の直径よりも大きく形成された上円柱部と下円柱部と、円柱部と同一の中心軸に上円柱部の上面から下円柱部の下面に貫通するネジ挿通孔が形成されたものが知られている。モータ取付台にファンモータを固定するときは、防振ゴムの円柱部を図６（ｂ）に示すファンモータのフランジ部から突出する突出部の嵌合孔に、突出部に設けたスリットから挿入して嵌合し、防振ゴムのネジ挿通孔にネジを挿通して防振ゴムを上下方向に圧縮しながらモータ取付台にネジ止めするようになっている。
【０００６】
しかし、防振ゴムを上下方向に圧縮しながらネジでファンモータをモータ取付台にネジ止めする際に、ネジを回転させる力が防振ゴムにも掛ってしまい、ネジと一緒に防振ゴムが回転することで、防振ゴムの円柱部がファンモータの突出部の嵌合孔と擦れて削られ、防振機能や耐久性を低下させてしまう虞があった。
【０００７】
このため、防振ゴムの上下を挿通するネジ孔の中心軸からネジ孔の外側に位置する防振ゴムの側面までの長さを、防振ゴムの中心軸から防振ゴムの側面と対向する取付対象物までの長さに合わせて形成し、防振ゴムの側面を取付対象物に当接させ、防振ゴムが位置ずれしたり回転することを防止する防振支持構造の技術が提案されている。（例えば、特許文献１参照）。
【先行技術文献】
【特許文献】
【０００８】
【特許文献１】特開２００６−３４８９６１号公報（第４〜５頁、図２）
【発明の概要】
【発明が解決しようとする課題】
【０００９】
しかし、特許文献１の防振支持構造に用いられる防振ゴムでは、例えば同じ空気調和機の室外機であっても機種などの違いによりファンモータなどのサイズが異なり、防振ゴムの側面と対向するファンモータやモータ取付台までの長さが異なる場合には、その長さに合わせて防振ゴムの側面をファンモータやモータ取付台に当接できるように、防振ゴムの中心軸から側面までの長さの異なる種類を使い分けて用いることになり、汎用的に用いることができない。このため、防振ゴムの種類が増加して防振ゴムの部品管理が煩雑になるという問題があった。
【００１０】
本発明は以上述べた問題点を解決し、防振ゴムをネジ止めする際に防振ゴムの回転を防止するとともに、汎用的に用いることができる防振ゴムを提供することを目的とする。
【課題を解決するための手段】
【００１１】
本発明は上述の課題を解決するため、円柱部と、前記円柱部の上部に形成され上面と複数の側面を有する上角柱部と、前記円柱部の下部に形成され下面と複数の側面を有する下角柱部と、前記円柱部の中心軸上を前記上角柱部の前記上面から前記下角柱部の前記下面に貫通するネジ挿通孔とを備えた防振ゴムであって、前記上角柱部と前記下角柱部は、前記中心軸と前記複数の側面の距離の全てが前記円柱部の半径よりも長く、かつ前記複数の側面の各々と前記中心軸との最短距離が隣り合う前記側面同士で異なるように形成されることを特徴とする。
【発明の効果】
【００１２】
本発明の防振ゴムによれば、防振ゴムをネジ止めする際に防振ゴムの回転を防止するとともに、防振ゴムの汎用性を高めることができる。
【図面の簡単な説明】
【００１３】
【図１】本発明による防振ゴムを介在させてファンモータをモータ取付台に固定する構成を説明する空気調和機の室外機の分解斜視図である。
【図２】本発明による防振ゴムの形状を説明する斜視図である。
【図３】本発明による防振ゴムを上面から見た説明図である。
【図４】図１のファンモータと防振ゴムを空気調和機の室外機の前面側から見た説明図である。
【図５】本発明による防振ゴムがファンモータとモータ取付台にネジ止めされた状態を説明する図１のＸ−Ｘ断面図である。
【図６】従来の防振ゴムとファンモータを示す説明図である。
【発明を実施するための形態】
【００１４】
以下、本発明の実施の形態を、添付図面に基づいた実施例として詳細に説明する。なお、本発明は以下の実施形態に限定されることなく、本発明の主旨を逸脱しない範囲で種々変形することが可能である。
【００１５】
図１は、本発明による防振ゴム４０を介在させてファンモータ３０をモータ取付台２０に固定する構成を説明する空気調和機の室外機１の分解斜視図である。空気調和機の室外機１は、底面に底板１０を備えている。
【００１６】
底板１０には、振動を発生する機器であるファンモータ３０を図示しない熱交換器の前面側の所定の高さに配置するための取付対象物であるモータ取付台２０が配置されている。
底板１０には底面板２０Ｂが取付けられ、図示しない天井パネルに天面板２０Ａが取付けられる。モータ取付台２０は、下部を底面板２０Ｂ、上部を天面板２０Ａで固定され底板１０に対して垂直に立設されている。また、モータ取付台２０にはファンモータ３０を取付けるために、所定の位置に後述する複数のネジ孔２１が形成されている。
【００１７】
また、ファンモータ３０の側面の外周にはフランジ部３１が形成され、フランジ部３１には防振ゴム４０を介してファンモータ３０をモータ取付台２０に固定するための後述する複数の突出部３２が形成されている。
【００１８】
そして、フランジ部３１に形成された複数の突出部３２に対し、モータ取付台２０との間にそれぞれ防振ゴム４０を介在させ、防振ゴム４０に形成されたネジ挿通孔４４に後述するネジ５０を挿通し、モータ取付台２０のネジ孔２１にネジ締めすることで、ファンモータ３０から生じる振動がモータ取付台２０に伝達することを低減しつつ、ファンモータ３０をモータ取付台２０に固定できるようになっている。
【００１９】
図２は、本発明による防振ゴム４０の形状を説明する斜視図であり、図３は、本発明による防振ゴム４０を上面から見た説明図である。なお、図２と図３では、異なる形状に形成された防振ゴム４０Ａ，４０Ｂを用いて説明する。
【００２０】
図２に示すように、防振ゴム４０Ａ，４０Ｂには、円柱部４１Ａ，４１Ｂと、円柱部４１Ａ，４１Ｂの上部に上面４２１Ａ，４２１Ｂと複数の側面４２２Ａ，４２２Ｂがそれぞれ形成された上角柱部４２Ａ，４２Ｂと、円柱部４１Ａ，４１Ｂの下部に下面４３３Ａ，４３３Ｂと複数の側面４３２Ａ，４３２Ｂがそれぞれ形成された下角柱部４３Ａ，４３Ｂと、上角柱部４２Ａ，４２Ｂの上面から下角柱部４３Ａ，４３Ｂの下面に貫通するネジ挿通孔４４Ａ，４４Ｂをそれぞれ備えている。
【００２１】
また、防振ゴム４０Ａの円柱部４１Ａとネジ挿通孔４４Ａの中心軸は同一となるように形成され、防振ゴム４０Ｂの円柱部４１Ｂとネジ挿通孔４４Ｂの中心軸は同一となるように形成されている。
【００２２】
図３は図２の防振ゴム４０Ａ，４０Ｂを上角柱部４２Ａ，４２Ｂ側から上面視した説明図である。図３に示すように、防振ゴム４０Ａ，４０Ｂの上角柱部４２Ａ，４２Ｂは、上面４２１Ａ，４２１Ｂから見て全ての辺が点線で示す円柱部４１Ａ，４１Ｂの外周よりも外側にそれぞれ形成されている。また、防振ゴム４０Ａ，４０Ｂの図示しない下角柱部４３Ａ，４３Ｂも同様に、下面４３３Ａ，４３３Ｂから見て全ての辺が円柱部４１Ａ，４１Ｂの外周よりも外側にそれぞれ形成されている。
【００２３】
防振ゴム４０Ａの上角柱部４２Ａは、ネジ挿通孔４４Ａの中心軸から上角柱部４２Ａの各辺までの最短距離がｄ＜ａ＜ｃ＜ｂのように側面４２２１Ａ，４２２２Ａ，４２２３Ａ，４２２４Ａの各々と中心軸との最短距離が隣り合う側面どうしで異なるように形成される。また、防振ゴム４０Ａの下角柱部４３Ａも同様に、ネジ挿通孔４４Ａの中心軸から、下角柱部４３Ａの各辺までの最短距離が側面４３２Ａの各々と中心軸との最短距離が隣り合う側面どうしで異なるように形成される。
【００２４】
防振ゴム４０Ｂの上角柱部４２Ｂは、ネジ挿通孔４４Ｂの中心軸から上角柱部４２Ｂの各辺までの最短距離がｅ≠ｆのように向かい合う側面４２２１Ｂと側面４２２３Ｂ及び側面４２２２Ｂと側面４２２４Ｂでは同じ距離、かつ隣り合う側面４２２１Ｂと側面４２２２Ｂ、側面４２２２Ｂと側面４２２３Ｂ、側面４２２３Ｂと側面４２２４Ｂ及び側面４２２４Ｂと側面４２２１Ｂどうしで異なるように形成される。また、防振ゴム４０Ｂの下角柱部４３Ｂも同様に、ネジ挿通孔４４Ｂの中心軸から下角柱部４３Ｂの各辺までの最短距離が向かい合う側面では同じ距離、かつ隣り合う側面どうしでは異なるように形成される。
【００２５】
なお、図２と図３で説明した防振ゴム４０Ａ，４０Ｂの上角柱部４２Ａ，４２Ｂと下角柱部４３Ａ，４３Ｂは、上面からみて四角形状となっているが、三角形や五角形、六角形などの多角形状に形成しても良い。また、上角柱部４２Ａ，４２Ｂと下角柱部４３Ａ，４３Ｂは同一形状であっても、異なる形状であっても良い。このようにして側面の数を多くするとネジ挿通孔４４Ａ，４４Ｂの中心軸から各辺までの最短距離の種類を増やすことができ、防振ゴム４０Ａでは側面４２２１Ａ，４２２２Ａ，４２２３Ａ，４２２４Ａのいずれかの側面を選択することで４種類、防振ゴム４０Ｂでは側面４２２１Ｂ，４２２３Ｂまたは、４２２２Ｂ，４２２４Ｂのいずれかの側面を選択することで２種類のネジ挿通孔４４Ａ，４４Ｂの中心軸から各辺までの最短距離を利用できる。このため、防振ゴム４０Ａ，４０Ｂの側面と対向するファンモータ３０までの長さに合わせて防振ゴムの側面をファンモータ３０に当接できる。さらに、防振ゴム４０を上下方向に反転させ上角柱部４２と下角柱部４３を入れ換えて使用しても良い。
【００２６】
図４は、図１のファンモータ３０と防振ゴム４０を空気調和機の室外機１の前面側から見た説明図である。ファンモータ３０の側面の外周には全周囲に渡ってフランジ部３１が形成され、フランジ部３１にはファンモータ３０をモータ取付台２０に固定するための突出部３２が複数形成されている。
【００２７】
また、各突出部３２には、防振ゴム４０の円柱部４１を嵌合する嵌合孔３３が形成されている。また、嵌合孔３３には嵌合孔３３の外縁の一部を切欠いたスリット３４が形成され、スリット３４から防振ゴム４０の円柱部４１を嵌合孔３３に挿入できるようになっている。
【００２８】
なお、スリット３４の幅の長さは嵌合孔３３や防振ゴム４０の円柱部４１の直径の長さよりも短く形成され、嵌合孔３３に円柱部４１を挿入する際には円柱部４１を弾性変形させてスリット３４を通過させるようになっており、嵌合孔３３に円柱部４１が挿入されると防振ゴム４０の円柱部４１が元の形状に戻り、自然に落下しないようになっている。
【００２９】
ファンモータ３０に防振ゴム４０を取付ける際には、防振ゴム４０の１つの側面がファンモータ３０の側面に圧縮されながら当接するように、図３で説明した防振ゴム４０のネジ挿通孔４４の中心軸から上角柱部４２または下角柱部４３の各辺までの最短距離（ａ，ｂ，ｃ，ｄまたはｅ，ｆなど）を持つ側面を選択し、選択した側面をファンモータ３０側に向けてスリット３４から円柱部４１を挿入し、円柱部４１を嵌合孔３３に嵌合させる。
【００３０】
このように、嵌合孔３３の中心軸からファンモータ３０の側面までの距離に応じて、防振ゴム４０の側面を選択して取付けることで、防振ゴム４０の上角柱部４２または下角柱部４３の側面のうち、少なくとも一つの側面がファンモータ３０の側面に圧縮されながら当接する。
【００３１】
このため、続いて防振ゴム４０のネジ挿通孔４４にネジ５０を挿入してネジ止めを行う際に、ファンモータ３０の突出部３２を防振ゴム４０の上角柱部４２と下角柱部４３で上下に挟み込むように、防振ゴム４０を上下方向に圧縮しながらネジ５０を締め付けて、ネジ５０を回転させる力が防振ゴム４０に伝わったとしても、ファンモータ３０の側面に圧縮されながら当接した防振ゴム４０の上角柱部４２または下角柱部４３の側面が、防振ゴム４０の回転を規制するため、ネジ５０と一緒に防振ゴム４０が回転することを防止できる。
【００３２】
また、同じ空気調和機の室外機１であっても機種などの違いによりファンモータ３０、フランジ部３１、突出部３２の大きさなどが異なる場合にも、嵌合孔３３の中心軸からファンモータ３０の側面までの距離に応じて前述した防振ゴム４０の側面を選択すれば、同一の防振ゴム４０を汎用的に使用することができる。
【００３３】
図５は、本発明による防振ゴム４０がファンモータ３０とモータ取付台２０にネジ止めされた状態を説明する図１のＸ−Ｘ断面図である。図１から図４で説明したように、防振ゴム４０（４０Ａ，４０Ｂ）の円柱部４１（４１Ａ，４１Ｂ）をファンモータ３０のフランジ部３１に形成される突出部３２の嵌合孔３３にスリット３４から挿入することで、ファンモータ３０の側面に防振ゴム４０（４０Ａ，４０Ｂ）の上角柱部４２（４２Ａ，４２Ｂ）と下角柱部４３（４３Ａ，４３Ｂ）の側面が圧縮しながら当接するとともに、防振ゴム４０（４０Ａ，４０Ｂ）のネジ挿通孔４４（４４Ａ，４４Ｂ）とモータ取付台２０のネジ孔２１が同心軸となる位置に位置決めされる。
【００３４】
このため、容易に防振ゴム４０（４０Ａ，４０Ｂ）のネジ挿通孔４４（４４Ａ，４４Ｂ）にネジ５０を挿入しネジ締めし、ファンモータ３０をモータ取付台２０に固定することができる。また、ファンモータ３０とモータ取付台２０の間に、防振ゴム４０（４０Ａ，４０Ｂ）が介在するようになるため、ファンモータ３０から生じる振動がモータ取付台２０に伝達することを低減することができる。
【００３５】
図５ではファンモータ３０の側面に防振ゴム４０（４０Ａ，４０Ｂ）の上角柱部４２（４２Ａ，４２Ｂ）と下角柱部４３（４３Ａ，４３Ｂ）の両方の側面が圧縮されながら当接する場合を説明したが、上角柱部４２（４２Ａ，４２Ｂ）または下角柱部４３（４３Ａ，４３Ｂ）のいずれか一方の側面をファンモータ３０の側面に圧縮しながら当接させるようにしても良い。この場合、ネジ締めを行う時にはネジ５０の頭部からも防振ゴム４０（４０Ａ，４０Ｂ）を回転させる力が加わるため、ネジ５０の頭部側となる上角柱部４２（４２Ａ，４２Ｂ）の側面を当接させることが好ましい。
【００３６】
上角柱部４２（４２Ａ，４２Ｂ）の側面をファンモータ３０の側面に当接させることで、下角柱部４３（４３Ａ，４３Ｂ）の側面をファンモータ３０の側面に当接させるよりも、ネジ５０をネジ締めした際に防振ゴム４０（４２Ａ，４２Ｂ）の回転を規制することができる。
【符号の説明】
【００３７】
１ 空気調和機の室外機
１０  底板
２０  モータ取付台（取付対象物）
２０Ａ  天面板
２０Ｂ  底面板
２１  ネジ孔
３０  ファンモータ（振動を発生する機器）
３１  フランジ部
３２  突出部
３３  嵌合孔
３４  スリット
４０（４０Ａ，４０Ｂ）  防振ゴム
４１（４１Ａ，４１Ｂ）  円柱部
４２（４２Ａ，４２Ｂ）  上角柱部
４２１Ａ，４２１Ｂ  上面
４２２Ａ，４２２Ｂ  側面
４３（４３Ａ，４３Ｂ）  下角柱部
４３２Ａ，４３２Ｂ  側面
４３３Ａ，４３３Ｂ  下面
４４（４４Ａ，４４Ｂ）  ネジ挿通孔
５０  ネジ
【図１】
2017067154.tif 000003
【図２】
2017067154.tif 000004
【図３】
2017067154.tif 000005
【図４】
2017067154.tif 000006
【図５】
2017067154.tif 000007
【図６】
2017067154.tif 000008